(57)【要約】【課題】  できるだけ細い枠で光制御部材の着脱が容易な照明器具を提供する。【解決手段】  開口部１ａを有し開口部１ａ内にランプ５を収納する器具本体１と、外枠９を有して開口部１ａの内側に収納されたルーバ２と、ルーバ２の一端側においてルーバ２が開口部１ａの開口面に略平行に移動可能でかつ開口部１ａを開閉可能となるようにルーバ２を器具本体１に保持する軸支部３と、ルーバ２が開口面に略平行に移動することによりルーバ２の他端側を器具本体１に着脱自在に取付ける取付部４とを備えている。【選択図】        図１
2005038790.tif 000002
【特許請求の範囲】
【請求項１】
開口部を有し前記開口部内にランプを収納する器具本体と、外枠を有して前記開口部の内側に収納された光制御部材と、前記光制御部材の一端側において前記光制御部材が前記開口部の開口面に略平行に移動可能でかつ前記開口部を開閉可能となるように光制御部材を前記器具本体に保持する軸支部と、前記光制御部材が前記開口面に略平行に移動することにより前記光制御部材の他端側を前記器具本体に着脱自在に取付ける取付部とを備えた照明器具。
【請求項２】
前記軸支部は前記外枠の一端側および前記器具本体の一方に設けられた軸部と、前記外枠の一端側および前記器具本体の他方に設けられて前記軸部を前記開口面に略平行にスライド自在にガイドするガイド部とを有し、前記軸支部は前記光制御部材の長手方向の一端に有する請求項１記載の照明器具。
【請求項３】
前記軸部は前記外枠に設けられ、前記ガイド部は前記器具本体に設けられ、前記ガイド部は前記軸部を着脱する部位、前記軸部を回転させる部位、および前記光制御部材の他端側を前記取付部により前記器具本体に取付ける際に前記軸部を支持する部位を有し、前記軸部を着脱する前記部位は他の前記部位よりも前記開口部の前方側かつ中央寄りに設けている請求項２記載の照明器具。
【請求項４】
前記ガイド部は前記軸部がスライド自在に通る長穴であり、前記長穴は前記外枠に覆われる請求項３記載の照明器具。
【発明の詳細な説明】
【技術分野】
【０００１】
本発明は、照明器具に関し、詳しくは照射開口部に設けるルーバやパネル等の光制御部材の取付構造に関するものである。
【背景技術】
【０００２】
従来、照明器具の照射開口部にルーバ等の光制御部材を取付ける場合、例えば図６に示すように器具本体１００の開口部内にルーバ１０１を収納し、引掛爪１０２や止め手段１０３などの取付装置で固定しており、これらをルーバ１０１で支持するためルーバ１０１にある程度の幅を有する外枠が必要であった（特許文献１）。
【０００３】
別の従来例、例えば図７に示すルーバ１０１も、弾性の止め具１０４を支持するため板厚以上の幅Ｌをもったルーバ枠１０５が必要であった（特許文献２）。
【０００４】
一方、図８に示すように、枠のないルーバ１０１の１つおきの各片１０１ａの一端を、器具本体１００の開口部の係止孔１０７に個別に係止するとともに、他端を連結手段１０６で器具本体１００と連結するようにしたものがあった（特許文献３）。
【特許文献１】実開平２−１１７６０８号公報
【特許文献２】特開平４−８７１０５号公報
【特許文献３】実開平２−１１９３０７号公報
【発明の開示】
【発明が解決しようとする課題】
【０００５】
図６および図７に示す従来例は、ルーバ枠が幅を持つために意匠をスッキリさせる妨げになったり、照明開口部を狭めるために器具効率を下げる要因になっていた。
【０００６】
図８に示す従来例は、ルーバの開閉ならびに着脱が容易でないという欠点があった。
【０００７】
したがって、発明の目的は、できるだけ細い枠で光制御部材の開閉が容易な照明器具を提供することである。
【課題を解決するための手段】
【０００８】
この発明の照明器具は、開口部を有し前記開口部内にランプを収納する器具本体と、外枠を有して前記開口部の内側に収納された光制御部材と、前記光制御部材の一端側において前記光制御部材が前記開口部の開口面に略平行に移動可能でかつ前記開口部を開閉可能となるように前記光制御部材を前記器具本体に保持する軸支部と、前記光制御部材が前記開口面に略平行に移動することにより前記光制御部材の他端側を前記器具本体に着脱自在に取付ける取付部とを備えたものである。
【０００９】
上記構成において、前記軸支部は前記外枠の一端側および前記器具本体の一方に設けられた軸部と、前記外枠の一端側および前記器具本体の他方に設けられて前記軸部を前記開口面に略平行にスライド自在にガイドするガイド部とを有し、前記軸支部は前記光制御部材の長手方向の一端に有する。
【００１０】
上記構成において、前記軸部は前記外枠に設けられ、前記ガイド部は前記器具本体に設けられ、前記ガイド部は前記軸部を着脱する部位、前記軸部を回転させる部位、および前記光制御部材の他端側を前記取付部により前記器具本体に取付ける際に前記軸部を支持する部位を有し、前記軸部を着脱する前記部位は他の前記部位よりも前記開口部の前方側かつ中央寄りに設けている。
【００１１】
上記構成において、前記ガイド部は前記軸部がスライド自在に通る長穴であり、前記長穴は前記外枠に覆われる。
【発明の効果】
【００１２】
この発明の照明器具によれば、光制御部材の一端の軸支部により光制御部材が開口部面内で平行に移動可能でかつ開口部に対して開閉可能にし、光制御部材を移動することにより光制御部材の他端の取付部により器具本体に取付けることができるため、例えば軸支部を軸とガイド部とにより構成でき、従来のように外枠を幅のある部材で構成する必要がなく、光制御部材の外枠をできるだけ幅の小さい細い枠で構成することができ、しかも軸支部および取付部により光制御部材の開閉を容易にすることができる。
【００１３】
また、軸部およびガイド部を光制御部材の長手方向の一端に設けたため、光制御部材の開閉操作がしやすい。
【００１４】
軸部を着脱する部位は、他の部位よりも器具本体の開口部の前方側かつ中央寄りに設けているため、照明器具を施工した際に軸部を着脱する部位が下方となるので光制御部材を取付けやすい。
【００１５】
長穴が外枠に覆われることにより、光制御部材の取付状態で長穴がみえない。
【発明を実施するための最良の形態】
【００１６】
この発明の照明器具の一実施の形態を図１から図５により説明する。すなわち、この照明器具は、器具本体１と、光制御部材２と、軸支部３と、取付部４を有する。
【００１７】
器具本体１は、開口部１ａを有し開口部１ａ内にランプ５を収納するものである。実施の形態では例えば長手方向のある平角箱状であり、天板６、側壁７、および開口部１ａに形成した外つば８を有する。器具本体１の長手方向の両端にランプソケット（図示せず）が設けられ、光源としてランプ５例えば直管形の蛍光ランプが装着されている。
【００１８】
光制御部材２は、外枠９を有して開口部１ａの内側に収納されている。実施の形態では、例えばはしご形のルーバであり、外枠９は一対の両側片により構成し、両側片間に複数のルーバ片１０が連結されている。
【００１９】
軸支部３は、光制御部材２の一端側において光制御部材２が開口部１ａの開口面に略平行に移動可能でかつ開口部１ａを開閉可能となるように光制御部材２を器具本体１に保持する。例えば器具本体１が天井に施工された状態では、開口部１ａに収納された位置と、開口部１ａからほぼ垂直姿勢に吊下げられた位置との間を回動自在に開閉される。軸支部３は光制御部材２の外枠９の長手方向の一端側に設けられた軸部１１と、器具本体１に設けられて軸部１１を開口面に略平行にスライド自在にガイドするガイド部１２とを有する。ガイド部１２は軸部１１を着脱する部位Ａ、軸部１１を回転させる部位Ｂ、および光制御部材２の他端側を取付部４により器具本体１に取付ける際に軸部１１を支持する部位Ｃを有し、軸部１１を着脱する部位Ａは他の部位Ｂ、Ｃよりも器具本体１の開口部１ａの前方側したがって図１の下側かつ中央寄りに設けている。このガイド部１２は器具本体１に設けられて軸部１１がスライド自在に通る長穴であり、長穴は光制御部材２が開口部１ａに収納された状態で外枠９に覆われる。さらに軸支部３は、例えば軸部１１にねじを用いるなどにより光制御部材２を器具本体１に対して着脱自在に構成している。
【００２０】
取付部４は光制御部材２が開口面に略平行に移動することにより、光制御部材２の他端側を器具本体１に着脱自在に取付ける。実施の形態では、器具本体１の長手方向の端部の側壁に係止孔１４を形成し、光制御部材２の外枠９の端部に係止孔１４に係止する係止片１５を形成している。
【００２１】
さらに図面に沿って詳述すると、器具本体１にはガイド部１２としてその側壁に第３図に示す異形の長穴を設けている。その異形形状は下端が部位Ａ、上端が部位Ｂとなって、長穴が水平に対して傾斜しているが、その中間のやや上寄りに部位Ｃがあり、部位Ｃを境にして両側の傾斜が長穴の幅方向にずれて部位Ｃに所定幅の水平部を形成しており、取付部４での係脱の際のルーバの水平移動を可能にしている。ルーバの外枠９は板一枚で形成し、その一端には軸部１１としてねじが螺通されるねじ孔１９を形成し、もう一端には鉤状の係止片１５を形成する切欠き状のスリット２０を施してある。
【００２２】
ルーバの取付方法は図４に示すように、ルーバの軸部１１であるねじのタップ位置とガイド部１２のA位置を合わせ、軸部１１（図１参照）を貫通させる（図２にその状態を示す）。軸部１１を長穴のB位置に移動させ、その点を支点にルーバをほぼ水平まで振り上げる。ルーバをスライドさせ、外枠９の先端に施してある略鉤状の係止片１５を器具本体１の角穴の係止孔１４に貫通させ、落とし込む（軸部は図３のC位置で止まる）。ルーバの取り外しは上記構成の逆の順序を行う。
【００２３】
このような取付構造のため、軸部１１とガイド部１２により構成すると、ルーバの外枠９は板一枚で構成でき、従来と比べて幅を薄いものとすることができる。また取付部品は従来例のようなラッチと取付金具を各々2個必要とせず、ねじ2個だけで済む。
【００２４】
また、ルーバを仮取付する位置は回転させる位置や最終固定位置と異なり、水平方向で中心寄り、しかも上下方向で下端寄りに設けているため、軸部１１としてのねじを締めやすく、施工性を向上させている。
【００２５】
その結果、ガイド部１２としての長穴は略斜め形状になっているが、ルーバの外枠をその形状よりも大きくすることにより、取付完了状態で見えないように工夫している。
【００２６】
このように、外枠９は板一枚で形成でき、必要な部品はねじ2本のため、コストを抑えられ、外枠９の幅が細いため意匠がよく、ルーバの着脱が片手で可能なため、ランプ交換が容易にでき、さらに光が出る開口が広く確保できるため、器具効率が高くなる。ルーバがない方がよいときにはねじを外すことにより器具本体１から容易に外すことができる。
【００２７】
なお、他の実施の形態として、軸部を器具本体に設け、ガイド部を光制御部材に設けてもよい。
【図面の簡単な説明】
【００２８】
【図１】この発明の第１の実施の形態の分解斜視図である。
【図２】光制御部材を仮吊りした状態の斜視図である。
【図３】ガイド部を示す正面図である。
【図４】光制御部材を垂直姿勢から水平姿勢に回動する過程の概略断面図である。
【図５】光制御部材で開口部を閉じた状態の概略断面図である。
【図６】従来例の一部破断側面図である。
【図７】他の従来例のルーバの取付部分の断面図である。
【図８】さらに他の従来例のルーバを外した状態の照明器具の斜視図である。
【符号の説明】
【００２９】
１  器具本体
１ａ  開口部
２  光制御部材
３  軸支部
４  取付部
５  ランプ
９  外枠
１１  軸部
１２  ガイド部
Ａ  軸部を着脱する部位
Ｂ  軸部を回転させる部位
Ｃ  軸部を支持する部位
【図１】
2005038790.tif 000003
【図２】
2005038790.tif 000004
【図３】
2005038790.tif 000005
【図４】
2005038790.tif 000006
【図５】
2005038790.tif 000007
【図６】
2005038790.tif 000008
【図７】
2005038790.tif 000009
【図８】
2005038790.tif 000010